(57)【要約】本発明は、排便排泄物（ＢＭ）を受容するための開口部を備え、その下に存在する排泄物を遮蔽するような特定のトップシートを有する、おむつ、トレーニングパンツ、成人用失禁物品などの使い捨て吸収性物品に関する。トップシートは空気透過性であり、細孔のみによる均一な孔径分布を有し、低表面エネルギーを有し、故に少なくとも７、典型的には少なくとも９、又は更に好ましくは１０の撥アルコール性を有する。
2006504497.tif 000002
【特許請求の範囲】
【請求項１】
使用中着用者の衣類に面するバックシートと、前記バックシートに面する内側表面及び使用中前記着用者の身体に面する外側表面を有するトップシートとを有し、前記トップシートが排泄物を受容するための間隙空間への通路を提供する１以上の開口部を有し、前記空間が前記トップシート及びバックシートの間に位置する使い捨て吸収性物品であって、
前記トップシートは均一な孔径分布、及び１００μｍ未満、好ましくは５０μｍ未満の最大孔径（気泡孔径直径）を有する少なくとも１枚の繊維性材料のシートを含み、
前記トップシートは少なくとも３ダルシー／ｍｍ、より好ましくは少なくとも１０ダルシー／ｍｍ、又は更に少なくとも２０ダルシー／ｍｍの空気透過性を有し、
前記トップシートは少なくとも７．０、好ましくは９．０又は１０の撥アルコール性を有する使い捨て吸収性物品。
【請求項２】
使用中着用者の衣類に面するバックシートと、前記バックシートに面する内側表面及び使用中前記着用者の身体に面する外側表面を有するトップシートとを有し、前記トップシートが、前記トップシート及びバックシートの間に位置し排泄物を受容するための間隙空間への通路を提供する１以上の開口部を有する使い捨て吸収性物品、好ましくは請求項１に記載の物品であって、
前記トップシートは少なくとも３ダルシー／ｍｍ、好ましくは少なくとも１０ダルシー／ｍｍの空気透過性を有し、前記トップシートは、４．５ｇ未満、好ましくは３．５ｇ未満のＢＭ再湿潤値を有する使い捨て吸収性物品。
【請求項３】
前記トップシートが４０ｇ／ｍ２未満の坪量を有し、メルトブロウン不織布ウェブを含む請求項１又は２に記載の使い捨て吸収性物品。
【請求項４】
前記トップシートの孔が、２０μｍ未満、好ましくは１７μｍ未満、より好ましくは１３μｍ未満及び最も好ましくは１０μｍの平均孔径を有する請求項１〜３のいずれか一項に記載の物品。
【請求項５】
前記トップシートが、１以上のスパンボンドウェブ及び１以上のメルトブロウンウェブを有する積層体か、又は１以上のメルトブロウンウェブ及び１以上のカードウェブを有する積層体を含む請求項１〜４のいずれか一項に記載の物品。
【請求項６】
前記トップシートが、フルオロカーボン化合物及び／又はシロキサン化合物から選択される、好ましくはフルオロカーボン化合物から選択される遮蔽促進剤を含む請求項１〜５のいずれか一項に記載の物品。
【請求項７】
前記トップシートが、長手方向に対向する側縁部と、前記側縁部のそれぞれに沿って設けられる１以上の伸縮性区域とを有する唯一の開口部を具備し、
前記伸縮性区域が、前記開口部の側縁部よりも長く、前記側縁部から長手方向に延び、各伸縮性区域は１以上の長手方向に延びる伸縮性バンドを有する請求項１〜６のいずれか一項に記載の物品。
【請求項８】
前記伸縮性区域又は使用中着用者の身体に面するその一部分が、好ましくはタルク及び／又はワックスを含む摩擦軽減剤、好ましくはローション又は粉末を含む請求項７に記載の物品。
【請求項９】
前記トップシート及びバックシートの間に位置し、幅、長さ及び厚さ（キャリパー）寸法を有する繊維の三次元ウェブである追加のシートを含み、前記ウェブが、前記繊維が互いに接着されている接着区域と、前記繊維が互いに接着されていない未接着区域とを有し、
前記繊維は少なくとも１つの接着区域から少なくとも１つの未接着区域を通って少なくとも１つの他の接着区域まで延び、
前記接着区域は未接着区域のための支持体構造を形成し、前記未接着区域の表面積は少なくとも２ｍｍ２であり、
前記トップシートは０．１〜５ｍｍの厚さ（キャリパー）を有する請求項１〜８のいずれか一項に記載の物品。
【請求項１０】
おむつ又はトレーニングパンツである請求項１〜９のいずれか一項に記載の物品。
【請求項１１】
使用中着用者の衣類に面するバックシートと、好ましくは吸収性コアと、前記バックシートに面する内側表面及び使用中前記着用者の身体に面する外側表面を有するトップシートとを有し、
前記トップシートが、前記トップシート及びバックシートの間に位置し排泄物を受容するための間隙空間への通路を提供する１以上の開口部を有する使い捨て吸収性物品であって、
前記トップシートは、増圧下で閉じる傾斜した円錐形状の孔を有するフィルムを含み、
前記フィルムは好ましくは繊維性シート上に重ねられる使い捨て吸収性物品。
【請求項１２】
バックシートに面する内側表面及び使用中着用者の身体に面する外側表面を有し、排泄物を受容するための間隙空間への通路を提供する１以上の開口部を有し、前記空間が前記トップシート及びバックシートの間に位置するトップシートの使い捨て吸収性物品における使用であって、
前記トップシートは均一な孔径分布、及び１００μｍ未満、好ましくは５０μｍ未満の最大孔径（孔径）を有する少なくとも１枚の繊維性材料のシートを含み、
前記トップシートは少なくとも３ダルシー／ｍｍ、より好ましくは少なくとも１０ダルシー／ｍｍ、又は更に少なくとも２０ダルシー／ｍｍの空気透過性を有し、
前記トップシートは少なくとも７．０、好ましくは９．０又は１０の撥アルコール性を有する、前記物品により受容される糞便を遮蔽するためのトップシートの使い捨て吸収性物品における使用。
【請求項１３】
バックシートに面する内側表面及び使用中着用者の身体に面する外側表面を有し、排泄物を受容するための間隙空間への通路を提供する１以上の開口部を有し、前記空間が前記トップシート及びバックシートの間に位置するトップシートの使い捨て吸収性物品における使用であって、
前記トップシートは均一な孔径分布、及び１００μｍ未満、好ましくは５０μｍ未満の最大孔径（気泡点直径）を有する少なくとも１枚の繊維性材料のシートを含み、
前記トップシートは少なくとも３ダルシー／ｍｍ、より好ましくは少なくとも１０ダルシー／ｍｍ、又は更に少なくとも２０ダルシー／ｍｍの空気透過性を有し、
前記トップシートは少なくとも７．０、好ましくは９．０又は１０の撥アルコール性を有する、前記物品からの糞便の漏れを低減するためのトップシートの使い捨て吸収性物品における使用。
【請求項１４】
バックシートに面する内側表面及び使用中着用者の身体に面する外側表面を有し、排泄物を受容するための間隙空間への通路を提供する１以上の開口部を有し、前記空間が前記トップシート及びバックシートの間に位置するトップシートの使い捨て吸収性物品における使用であって、
前記トップシートは均一な孔径分布、及び１００μｍ未満、好ましくは５０μｍ未満の最大孔径（気泡点直径）を有する少なくとも１枚の繊維性材料のシートを含み、
前記トップシートは少なくとも３ダルシー／ｍｍ、より好ましくは少なくとも１０ダルシー／ｍｍ、又は更に少なくとも２０ダルシー／ｍｍの空気透過性を有し、
前記トップシートは少なくとも７．０、好ましくは９．０又は１０の撥アルコール性を有する、前記物品の着用者の皮膚上への糞便の付着を低減するためのトップシートの使い捨て吸収性物品における使用。
【発明の詳細な説明】
【技術分野】
【０００１】
本発明は、おむつ、トレーニングパンツ、成人用失禁物品、女性用保護物品などの使い捨て吸収性物品であって、粘性のある身体排泄物、例えば排便排泄物（以下、糞便（ＢＭ）と称する）を受容するための開口部を有し、その下に存在する排泄物を遮蔽するような特定のトップシートを有する使い捨て吸収性物品に関する。
【背景技術】
【０００２】
この１０年間、糞便を受容又は貯蔵するための間隙空間へとつながる開口部を有するおむつのトップシートに関する多くの研究がなされてきた。その焦点は主に、例えばトップシートの開口部周辺に伸縮性手段を使用することにより、着用者の身体に接する、及び着用者の肛門に近接した開口部の配置を改善することであった。
【０００３】
疎水性トップシート及び親水性トップシートを含むトップシートとして、例えば米国特許第４，６６２，８７７号及び同第４，９９０，１４７号などに記載されているような多くの種類の材料が提案されてきた。
【０００４】
ここで、本発明者らは、糞便が一旦開口部を通して受容されたら、物品を交換する人には見えないこと、即ち、トップシートが糞便を遮蔽することが非常に望ましいことを見出した。トップシートは、更に、着用者に快適性を提供するために、高い空気透過性を有し、可撓性であり、あまり厚くないようなものであるべきである。当該技術分野において提案された様々な親水性トップシート材料及び疎水性トップシート材料は、かかる遮蔽を提供しない。糞便を遮蔽するであろうおむつの部分に使用される他の材料、例えばバックシートとして一般に使用される材料は、快適なトップシートとして使用するには厚すぎるか、又は十分に空気透過性ではない。
【０００５】
故に、本発明は、１以上の開口部を有し、この開口部を通して受容され、その下に存在する糞便を遮蔽するようなトップシートを有するおむつを開発しようとするものである。
【０００６】
本発明者らは、均一で小さい孔径分布、及び少なくとも非常に低い表面エネルギーを有する内側表面（即ち、バックシートに面する）を有するトップシートを吸収性物品において使用することにより、これを効果的に達成できることを見出した。驚くべきことに、また意外なことに、これら特性の組み合わせは優れた糞便遮蔽を提供するが、これら特性のいずれか１つのみの使用では、求める遮蔽の効果が得られない。
【０００７】
本発明のおむつの好ましいトップシートは、トップシートの少なくとも内側表面の外観が、糞便との接触前と後とではほぼ同じままであり、例えば、白く透明でないトップシートは、糞便がその下にあり糞便と接触してある状態でもそのようなままであることを保証する。それにより、糞便は、おむつを交換する人に対して効果的に隠される。
【０００８】
驚くべきことに、本発明者らは、非常に低い表面エネルギー及び均一な多孔性を有する本発明のおむつのこのトップシートの使用が、糞便、特に非常に流れ易い糞便がトップシート下の間隙空間から漏れて、トップシートを通ってその上に戻り、着用者の皮膚まで到達することを低減するのに役立つことに気付いた。従って、これもまたおむつからの漏れを低減するための非常に効果的な方法であることが分かった。また、本発明のおむつのトップシートは、流れ易い糞便のための効果的な再湿潤バリアとなり、故に糞便及びその中の刺激物から皮膚を保護する。
【発明の開示】
【発明が解決しようとする課題】
【０００９】
おむつのトップシートをより疎水性又は親水性にして、例えば尿の吸収又は撥水性を制御すべく、そのトップシートに化学物質を塗布することは当該技術分野において既知であるが、おむつにおける糞便の遮蔽を助け、漏れを低減するべく、１以上の大きな開口部を有するトップシートの表面エネルギーを著しく低下させることが有益であることは当該技術分野において認識されていないことに留意すべきである。また、非常に低い表面エネルギーと均一な孔径分布との組み合わせが、おむつ内に受容された糞便を遮蔽するのに必要とされることも認識されていない。
【課題を解決するための手段】
【００１０】
本発明は、第一実施形態において、おむつ、トレーニングパンツ、成人用失禁物品又は生理用ナプキンのような使い捨て吸収性物品を提供し、この使い捨て吸収性物品は、使用中着用者の衣類に面するバックシートと、前記バックシートに面する内側表面及び使用中着用者の身体に面する外側表面を有するトップシートとを有し、前記トップシートは、前記トップシート及びバックシートの間に位置し、排泄物を受容するための間隙空間への通路を提供する１以上の開口部を有し、前記トップシートは、本明細書で定義するような均一な孔径分布を有する少なくとも１枚の繊維性材料のシートを含み、前記トップシートは少なくとも３ダルシー／ｍｍ、より好ましくは少なくとも５ダルシー／ｍｍ、及び最も好ましくは少なくとも１０ダルシー／ｍｍ、又は更により好ましくは少なくとも２０ダルシー／ｍｍ、又は更により好ましくは少なくとも３０ダルシー／ｍｍの空気透過性を有し、前記トップシート（例えば、少なくともその内側表面）は少なくとも７、好ましくは少なくとも８、より好ましくは少なくとも９、及び最も好ましくは１０でさえある平均撥アルコール性を有する。撥アルコール性が少なくとも１０である最も好ましい材料は、一般的に２５ｍＮ／ｍ未満の表面エネルギー及び１３０°よりも大きい水との接触角を有する。
【００１１】
本発明の別の実施形態においては、バックシートと、前述のような開口部を有するトップシートとを有する使い捨て吸収性物品が提供され、前記トップシートは、少なくとも３ダルシー／ｍｍ、より好ましくは少なくとも５ダルシー／ｍｍ、及び最も好ましくは少なくとも１０ダルシー／ｍｍ、又は更により好ましくは少なくとも２０ダルシー／ｍｍ、又は更により好ましくは少なくとも３０ダルシー／ｍｍの空気透過性を有し、前記トップシート（例えば、少なくともその内側表面）は、４．５ｇ未満、好ましくは３．５ｇ未満、更により好ましくは２．５ｇ未満、及び最も好ましくは１．５ｇ未満の再湿潤値を有する。
【発明を実施するための最良の形態】
【００１２】
本明細書で使用する次の用語は、次の意味を有する。  
「吸収性物品」という用語は、液体を吸収及び／又は収容する、着用可能なデバイスを指し、より詳細には、着用者の体に接して又は近接して配置されて、体から排出される様々な排出物を吸収し、収容するデバイスを指す。
【００１３】
「長手方向」は、物品の最長直線の寸法、典型的には長手方向軸線に平行に走る方向であり、長手方向の４５°以内の方向を含む。本明細書で使用する時、物品又はその構成要素の「長さ」は、一般に、物品又はその一部分の、最長直線の寸法の大きさ／距離、又は典型的には長手方向軸線の大きさ／距離を指す。
【００１４】
「横」又は「横断」方向は、例えば、物品の大部分と長手方向軸線との同一平面において、長手方向に直交し、横断方向は横断方向軸線に平行である。本明細書で使用する時、物品又はその構成要素の「幅」は、その物品又はその構成要素の長手方向に直交する、例えば、物品又はその構成要素の長さに直交する寸法の大きさ／距離を指し、典型的には物品又は構成要素の横断方向軸線に平行な寸法の距離／大きさを指す。
【００１５】
「Ｚ方向」は、長手方向及び横断方向の両方に直交し、例えば物品の最短直線の寸法に平行に走る。本明細書で使用する時、物品又はその構成要素の「厚さ」又は「キャリパー」は、Ｚ方向の寸法の大きさ／距離を指す。
【００１６】
本明細書で使用する時、用語「間隙空間」は、少なくとも物品が弛緩した状態（sate）で存在する、糞便物質などの排泄物を受け入れて収容する寸法の空洞である。
【００１７】
本明細書で使用する時、「伸縮性」及び「伸縮性トップシート」は、その品目又はトップシートが、少なくとも長手方向に弾性である弾性材から作られた部分を少なくとも含むことを意味し、トップシートが全体として弾性材から成る（長手方向に弾性的に伸張性がある）、及び／又はトップシートが長手方向に弾性的に伸張性がある伸縮性バンド若しくはストランドを含有するという状況を含む。
【００１８】
本発明は、プルオンパンツ又はトレーニングパンツ、パンツ型おむつ、失禁用ブリーフ、失禁用下着、吸収性挿入物、おむつホルダー及びライナー、女性用衛生衣類、包帯などの吸収性物品に同様に適用可能であるが、本発明の吸収性物品の好ましい実施形態は、プルオン若しくはトレーニングパンツ又はおむつ、好ましくは以下に示され記載されるおむつである。故に、本発明は（乳児用、幼児用又は成人用）おむつを参照して詳細に説明されるが、この説明は、他の着用可能な使い捨て物品に対して同様に適用可能である。
【００１９】
本発明の使い捨ての着用可能な吸収性物品、例えばオムツは、典型的には液体不透過性であるが、好ましくは通気性又は水蒸気透過性でさえあるバックシートを有する。バックシートとして好適であることが既知のいかなる材料も、本明細書で使用することができる。バックシートとして有用であることが当該技術分野において既知である材料は、最大約０．２ダルシー／ｍｍの空気透過性を有する。バックシート又はそのいかなる部分も、１以上の方向に弾性的延伸性であってもよい。１つの実施形態において、バックシートは、構造的に弾性様のフィルム（「ＳＥＬＦ」）ウェブを含んでもよい。構造的に弾性様のフィルムウェブは、追加の弾性材を使用することなく伸び方向に弾性様挙動を示す、延伸性材料である。ＳＥＬＦウェブは、隣接し、別個で、異なる少なくとも２区域を有するひずみ可能な網状組織を含む。本発明に好適なＳＥＬＦウェブは、米国特許第５，５１８，８０１号において更に完全に説明されている。
【００２０】
典型的には、トップシート及びバックシートの少なくとも一部分の間に位置するのが好ましい吸収性コアもまた存在する。
【００２１】
好ましくは存在する吸収性コアは、一般には圧縮可能で、適合性があり、着用者の皮膚に刺激を与えず、尿及び他の特定の身体滲出物などの液体を吸収及び保持することができるいかなる吸収性材料をも含むことができ、例えば、粉砕木材パルプ、縮みセルロース詰め物；コフォームを含むメルトブロウンポリマー；化学的に剛化、変性、若しくは架橋したセルロース繊維；ティッシュラップ及びティッシュラミネートを含むティッシュ；吸収性発泡体；吸収性スポンジ；超吸収性ポリマー；吸収性ゲル化材料；又はその他既知の吸収性材料若しくはこれらの材料の組み合わせなどである。吸収性コアとして使用するための代表的な吸収性構造体は、米国特許第４，６１０，６７８号、米国特許第４，６７３，４０２号、米国特許第４，８３４，７３５号、米国特許第４，８８８，２３１号、米国特許第５，１３７，５３７号、米国特許第５，１４７号、米国特許第５，２６０，３４５号、米国特許第５，３８７，２０７号、及び米国特許第５，６２５，２２２号に説明されている。
【００２２】
本発明の物品、例えばおむつは、サイドパネル、及び／又はより好ましくは液体及び他の身体滲出物の収容性が改善された１以上のレッグカフを有してもよい。レッグカフは、レッグバンド、サイドフラップ、バリアカフ、又は伸縮性カフとも呼ぶことができ、米国特許第３，８６０，００３号、米国特許第４，８０８，１７８号及び第４，９０９号、米国特許第４，６９５，２７８号及び第４，７９５，４５４号に説明されている。
【００２３】
おむつは、典型的には、第１又は前側腰部区域、第１腰部区域に対向する第２又は後側腰部区域、及び第１腰部区域と第２腰部区域との間に位置する股部区域を有する。股部区域は、典型的には、着用時に着用者の脚の間にあるおむつの部分である。おむつの腰部区域は、着用時に典型的には着用者の腰部を縮め又は取り囲み、着用者が立っている、直立の姿勢である時、通常は物品の最高の高さで最高の位置にある。腰部区域、又は好ましくはウエストバンドは、典型的には、おむつの力線を含む。
【００２４】
典型的には、おむつの腰部区域は、ウエストバンドである、又はウエストバンドを形成する部分を有する。おむつの１つのタイプでは、ウエストバンドは、使用前は開いており、着用者の腰部の周囲での締着が必要である。それに対して、おむつは、典型的には腰部区域又はバンドに接合される締着装置を有するのが好ましい。締着装置は、好ましくは、第１腰部区域及び第２腰部区域を接触する又は重なり合う形態で維持し、おむつの周囲に横方向の張力又は力線を提供して、おむつを着用者の上で保持する。締着装置は、好ましくは、テープタブ及び／又はフックアンドループ締着タブを含むが、他のいかなる既知の締着手段も一般的に許容できる。いくつかの代表的な締着装置は、米国特許第３，８４８，５９４号、米国特許第４，６６２，８７５号、米国特許第４，８４６，８１５号、米国特許第４，８９４，０６０号、米国特許第４，９４６，５２７号、米国特許第５，１５１，０９２号、米国特許第５，２２１，２７４号、及び米国特許第４，９６３，１４０号に開示されている。
【００２５】
代替実施形態では、物品は、トレーニングパンツなど、プルオン型おむつとして使用されるものである。その結果、典型的には、前側腰部部分又はウエストバンドと、後側腰部部分又はウエストバンドとが、第１接続領域及び第２接続領域によって使用前に（取り外し不可能に）接続されるように、衣類の対向する側面が継ぎ合わされるか又は溶接されて、パンツを形成してもよい。
【００２６】
腰部区域は弾性腰部機構を具備してもよい。かかる弾性腰部機構は、米国特許第４，５１５，５９５号及び米国特許第５，１５１，０９２号に記載されるものを含む多数の異なる形態で構成されてもよい。
【００２７】
バックシートは、トップシート、吸収性コア、又はおむつの他のどの要素にも、当該技術分野において既知の取り付け手段により取り付ける又は接合することができる。トップシート及びバックシートの縁部は互いに直接取り付けられることが非常に好ましいが、トップシート及びコアの長手方向縁部は互いに取り付けられないか、又は任意に部分的にのみ取り付けられることが非常に好ましいことがある。取り付け手段としては、米国特許第４，５７３，９８６号に記載されるような、接着剤の均一な連続層、接着剤の模様付きの層、又は接着剤の別個の線、らせん若しくは点の配列を挙げることができる。満足のいくものであることが判明した接着剤は、ミネソタ州セントポールのＨ．Ｂ．フラー社（H.B.Fuller Company）によって製造され、ＨＬ−１６２０及びＨＬ−１３５８−ＸＺＰとして市販されている。あるいは、取り付け手段は、熱接着、圧力接着、超音波接着、動的機械的接着、又は当該技術分野で既知の他のいかなる好適な取り付け手段、若しくはこれら取り付け手段の組み合わせをも含むことができる。
【００２８】
好ましいのは、物品、例えばおむつが、好ましくは伸縮性レッグカフ（存在する場合）上に、及び／又は、特に、本明細書に記載されるように、開口部の縁部が伸縮性である時にはトップシートの開口部周辺に、着用者の皮膚への局所的な薬剤を含むことである。好ましい薬剤は、粉末及びローション、好ましくは、当該技術分野で一般に知られているようなタルク及び／又はワックスが含まれる。着用者の皮膚上へのゴムの圧痕を低減するために、かかる薬剤、特にタルク又はワックスをトップシートの開口部周辺のゴムに塗布することが非常に有用であることが分かった。
【００２９】
物品はまた、使用中におむつ若しくはトップシート、又は開口部を更に適所に保持するように作用する局所用接着剤又は身体接着性組成物を含んでもよい。好ましい一実施形態では、局所用接着剤は、開口部の縁部に沿って伸縮性区域上に存在する。好適な身体接着剤は、当該技術分野で既知である。
【００３０】
（トップシート）
本発明の物品のトップシートは空気透過性である。これは、使用者に対して快適な着用を保証し、皮膚問題の危険性を低減するのに重要である。トップシートの空気透過性は、典型的には、少なくとも３ダルシー／ｍｍ、より好ましくは少なくとも５ダルシー／ｍｍ、及び最も好ましくは少なくとも１０、又は更には少なくとも２０、又は更には少なくとも３０ダルシー／である。これは、例えば、以下に述べる方法により決定することができる。
【００３１】
本発明者らは、尿と混ざった糞便が非常に低い表面張力、例えば約２５〜３０ｍＮ／ｍを有し得ることを見出した。故に、トップシートは非常に低い表面エネルギーを有し、これは非常に高い撥アルコール性の値に反映される。
【００３２】
トップシートの平均撥アルコール性は、少なくとも７．０、好ましくは少なくとも８．０、より好ましくは少なくとも９．０であり、最も好ましくは、トップシートの撥アルコール性は１０である。
【００３３】
トップシート又はその一部分、例えばトップシートの内側表面の表面エネルギーは、２８ｍＮ／ｍ未満、又は好ましくは２４ｍＮ／ｍ未満、及びより好ましくは２０ｍＮ／ｍ未満である。
【００３４】
トップシートは、トップシートの表面エネルギーを低下させ、それにより、求める遮蔽を提供するのを助ける化学物質（本明細書においては、遮蔽促進剤と称される）で少なくとも部分的に処理されるのが好ましい。
【００３５】
低い表面エネルギー、即ち、高い撥アルコール性を有するトップシートを得るために、上述の遮蔽促進剤を塗布するいかなる方法をも使用することができる。
【００３６】
遮蔽促進剤を塗布する方法は、好ましくは、薬剤の非常に薄いコーティングをトップシート又はその一部分上に付着させるようなものであるべきであり、空気透過性及び多孔性が実質的に変わらないようなものであるべきである。
【００３７】
好ましいのは、遮蔽促進剤を繊維ウェブに局所的に塗布すること、又はトップシートのウェブを形成する前に、トップシートを作製するのに使用される化合物（複数可）、例えば繊維に、溶融状態の遮蔽促進剤を添加することである。故に、例えばトップシートが繊維ブレンドから作製される不織布材である場合、この繊維ブレンドは溶融状態の遮蔽促進剤を含み得、これは結果として生じる不織布に高い撥アルコール性及び低い表面エネルギーを提供する。１以上の溶融された遮蔽促進剤の使用は、上述のように１以上の遮蔽促進剤での局所処理と組み合わせてもよい。
【００３８】
有用な薬剤としては、米国特許第５，８７６，７５３号（ティモンズ（Timmons）ら、１９９９年３月２日発行）、米国特許第５，８８８，５９１号（グリーソン（Gleason）ら、１９９９年３月３０日発行）、米国特許第６，０４５，８７７号（グリーソン（Gleason）ら、２０００年４月４日発行）に記載されるようなフルオロカーボン類が挙げられる。他の薬剤としてはシリコーンが挙げられる。空気透過性を低下させることなく、トップシートに薬剤を塗布するための有用な方法は、米国特許第５，３２２，７２９号及びＰＣＴ国際公開特許ＷＯ９６／０３５０１に見ることができる。
【００３９】
好ましい薬剤は、フルオロカーボン類、シロキサン類、ポリシロキサン類（好ましくは、ヘキサフルオロエチレン、ヘキサフルオロプロピレン、並びにフッ化ビニル及びフッ化ビニリデン、フルオロアクリレート及びフルオロメタクリレートを含む、フッ素化モノマー類及びフッ素化ポリマー類を含む）から成る群から選択されてもよい。非常に好ましいのは、トップシートがポリ（テトラ）フルオロエチレン、フッ素化エチレン−プロピレンコポリマー及び／又はフッ素化エチレン−テトラフルオロエチレンコポリマーの遮蔽促進剤を備えることである。
【００４０】
遮蔽促進剤は、繊維性不織布ウェブに対して最も効果的に塗布され、この繊維性不織布ウェブは、好ましくはポリオレフィン類、ポリエステル類、ポリウレタン類、及びポリアミド類から成る群から選択される熱可塑性ポリマー繊維を含み、最も好ましくは、熱可塑性ポリマー繊維はポリオレフィンであり、最も好ましくはポリプロピレン又はポリエチレンである。
【００４１】
高い撥アルコール性に加え、トップシートは細孔による均一な孔径分布も有する。即ち、トップシートは、最大孔径（気泡点直径）が１００μｍ未満、好ましくは７５μｍ未満、より好ましくは５０μｍ未満、及び最も好ましくは２５μｍ未満である孔を有する。これは、以下に述べる方法により決定することができる。
【００４２】
トップシートの孔は、好ましくは、平均孔径が２０μｍ未満、好ましくは１７μｍ未満、より好ましくは１３μｍ未満、及び最も好ましくは１０μｍ未満であるようなものである。
【００４３】
高い撥アルコール性並びに均一に分布された細孔を有する本発明の物品のトップシートはまた、流れ易い糞便で皮膚が汚れることを低減するのを助ける。これは、本明細書で述べるようなＢＭ再湿潤方法で特徴付けられる。
【００４４】
本発明の１つの実施形態において、トップシートのＢＭ再湿潤は、４．５ｇ未満、好ましくは３．５ｇ未満、より好ましくは２．５ｇ未満、及び最も好ましくは１．５ｇ未満である。
【００４５】
トップシートの内側表面がこの低表面エネルギーを経験するのであれば、トップシートは、１つのシート又はウェブのみがこの低表面エネルギーを有する２以上のシート又はウェブを含んでもよい。ウェブ又はシートはカードウェブであってもよいが、トップシートは、スパンボンド及び／又はメルトブロウン不織布ウェブ（複数可）を含むのが好ましい。
【００４６】
トップシートは２以上のシート又はウェブを有する積層体であるのが好ましく、このウェブの１以上は、低表面エネルギーを有するべく、１以上の上述の薬剤で処理されるのが好ましいことがある。
【００４７】
本明細書のトップシートは少なくとも２つの層を含むのが好ましく、その１つはメルトブロウン（Ｍ）層であり、もう１つの層はスパンボンド（Ｓ）又はカード（Ｃ）層のいずれかである。
【００４８】
好ましい手法は、ＳＭ  ＳＭＳ、ＳＭＭＳ、ＳＳＭＳ、ＳＳＭＳＳ、ＳＳＭＭＳ、ＣＭ又はＣＭＣ不織布積層体であり、好ましくは、１つのウェブは遮蔽促進剤で処理されている。
【００４９】
好ましいのは、内側のウェブ（物品のバックシートに面する）及び／又は中間のウェブが、トップシート（の内側表面）が本明細書で定義されるような低表面エネルギーを有するようなものである積層体である。例えば、トップシートがＳＭＳ積層体を含み、少なくともメルトブロウンウェブが、トップシートの内側表面（及び、好ましくは外側表面も）の低表面エネルギーを提供するように処理されることが非常に好ましい。
【００５０】
好ましくは、カード及び不織布ウェブは、ポリエチレン、ポリプロピレン及び／若しくはポリブチレンポリマー繊維、又はポリエチレン、ポリプロピレン及び／若しくはポリブチレンのコポリマーの繊維（の混合物）であり、最も好ましいのはポリプロピレンポリマー繊維である。
【００５１】
トップシートは、好ましくは非常に薄く、柔軟で対応性があり、好ましくは、非常に低い坪量、好ましくは３５ｇ／ｍ２未満、又は更には２５ｇ／ｍ２未満、又は更には１５ｇ／ｍ２未満の坪量を有する。トップシートは、好ましくは、０．２ｍｍ未満、又は更には０．１５ｍｍ未満、又は更には０．１ｍｍ未満のキャリパー又は厚さを有する。
【００５２】
本明細書のトップシートに使用する好ましい材料は、例えば、例えばペガス（Pegas）からペガフォブ（Pegaphob）０２  ４４５  ０３２という名称で入手可能な、最大孔径（孔径）が３２μｍ、空気透過性が３４ダルシー／ｍｍ、撥アルコール性が１０、再湿潤が２．８の、ディポリット（Dipolit）で処理された３４ｇｓｍのＳＭＳポリプロピレン不織布積層体；例えばペガス（Pegas）からペガフォブ（Pegaphob）０２  ４４５  ０２４という名称で入手可能な、最大孔径が５７μｍ、空気透過性が５２ダルシー／ｍｍ、撥アルコール性が１０、再湿潤が２．９の、ディポリット（Dipolit）で処理された２４ｇｓｍのＳＳＭＭＳＳポリプロピレン不織布積層体；例えばペガス（Pegas）からペガフォブ（Pegaphob）０２  ４４５  ０３２という名称で入手可能な、最大孔径が４８μｍ、空気透過性が４２ダルシー／ｍｍ、撥アルコール性が１０、再湿潤が３．０の、ディポリット（Dipolit）で処理された３４ｇｓｍのＳＳＭＭＳポリプロピレン不織布積層体；最大孔径が２２μｍ、空気透過性が４８ダルシー／ｍｍ、撥アルコール性が９、再湿潤が１．７の、サンドラー（Sandler）からＶＰ２１／００／７５というコードで入手可能な２０ｇｓｍのウェブ；最大孔径が３６μｍ、空気透過性が９５ダルシー／ｍｍ、撥アルコール性が１０、再湿潤が２．１の、サンドラー（Sandler）からＶＰ２１／００／７６というコードで入手可能な１０ｇｓｍのウェブ；最大孔径が２３μｍ、空気透過性が３５ダルシー／ｍｍ、撥アルコール性が１０、再湿潤が１．１の、サンドラー（Sandler）からＶＰ２１／００／７６というコードで入手可能な２０ｇｓｍのウェブであり、後者が最も好ましい。
【００５３】
本発明の別の実施形態は、傾斜した円錐形状の孔を有するフィルムから形成されたトップシートを有する使い捨て吸収性物品であり、それらの孔は、トップシートのｚ軸とある角度をなして（即ち、トップシートの平面に垂直ではなく）トップシート内に位置し、圧力下でトップシートの平面に、より平行である（横断方向軸又は長手方向軸に、より平行である）位置に移動し得る。この種の多孔性トップシート材料はまた、使用中に圧力がそれに印加されると、遮蔽及び低減した漏れを提供する。これは、典型的には、使用中、存在する糞便又は使用者の動きがトップシートに対する圧力を増加させる時に生じる。傾斜した円錐状フィルムは、好ましくはまた、上述の撥アルコール値、空気透過性、再湿潤値及び／又は孔径分布を有する。上述の材料に関して、それら傾斜した円錐状トップシートは、好ましくは、平均孔径が２０μｍ未満、好ましくは１７μｍ未満、より好ましくは１４μｍ未満、及び最も好ましくは１０μｍ未満である孔を有する。
【００５４】
好適な材料は、共に１９９９年２月３日に出願されたＰＣＴ出願（PCT applications）ＵＳ９９／０２３９５又はＵＳ９９／０２３９３に記載されるような、三次元的に形成された傾斜した円錐状フィルムである。かかるフィルムを、例えば、不織布ウェブなどの支持体シートと組み合わせて積層体を形成してもよい。支持体シート、例えば不織布ウェブは、全面積にわたって、傾斜した円錐状フィルムに取り付けられ得るが、それらの層は、層の周辺区域においてのみ互いに取り付けられるのが好ましい。好ましい三次元的に形成された傾斜した円錐状フィルムは、トレデガー（Tredegar）からＶ１７４ＬＤ４０という表記で入手可能である。
【００５５】
本発明の物品のトップシートは、間隙空間につながる開口部、好ましくは細長いスプリット開口部を有する。開口部の寸法は、例えばトップシート及び／又は物品の大きさに応じて変化してもよい。開口部は、トップシートの全長にわたって延びてもよい。好ましいのは、特に、サイズ４のおむつに関して、例えば、弛緩状態の開口部の長さが、好ましくは、５〜３０ｃｍ、又は更に１０〜２５ｃｍ、又は更に１２〜２０ｃｍであることである。例えば、弛緩状態のそのような物品の開口部の幅は、好ましくは２〜１０ｃｍ、より好ましくは３〜８ｃｍである。
【００５６】
十分に伸張した状態では、開口部の長さは、好ましくは、２０〜３５ｃｍであってもよく、幅は、好ましくは、３〜６ｃｍであってもよい。
【００５７】
トップシートは、好ましくは、開口部の２つの長手方向縁部に沿って位置し、前記開口部から第一（前側）及び第二（後側）の腰部区域に向かって延びる伸縮性区域を有し（従って、各縁部は少なくとも１つの伸縮性区域を有する）、好ましくは伸縮性区域の末端部分は、腰部区域に取り付け又は接合され得る。故に、伸縮性区域は、好ましくは、弛緩状態及び伸張状態の両方において開口部より長い。好ましいのは、伸縮性区域が、活性トップシートの全長、例えば、使用する際に排泄物を受けることが意図されるトップシートの部分、典型的には、トップシートから腰部区域又はバンド（の一部分）を形成するトップシートの部分を差し引いた部分の上に位置することである。
【００５８】
伸縮性区域の長さは、一般に、トップシート及び／又は物品の大きさによって決まる。例えば、サイズ４のおむつに関して、弛緩位置における伸縮性区域の長さは、１０〜３０ｃｍ、又は更に１５〜２５であってもよい一方、伸張状態では、好ましくは２０〜６０、又は更に２５〜４５、又は更に３０〜４０ｃｍであってもよい。
【００５９】
伸縮性区域は、２以上のほぼ平行な伸縮性領域の形態であってもよく、伸縮性区域は、その区域の中間部分が互いにほぼ平行であるような形状であることが好ましい一方、末端部分（少なくとも弛緩した状態で）は、（トップシートの平面で）互いから離れて曲がり、伸縮性区域の末端部分間の距離は、伸縮性区域の中間部分間の距離よりも長い。その際、伸縮性区域の末端部分は、典型的にはそれぞれ、開口部の長手方向軸線とある角度をなし、好ましくは、各角度は２０°〜３０°であって、好ましくは、末端部分間の角度はそのほぼ２倍、例えば４０°〜６０°である。これを、本明細書ではＸ形状と呼ぶ。
【００６０】
好ましいのは、弛緩した状態の時、伸縮性区域又はその一部分が、隣接するトップシートとある角度をなし、伸縮性区域が（更に）、トップシートの平面から出て曲がり、（トップシートの下の）間隙空間から離れて上向きに曲がることである。
【００６１】
本発明のおむつを作製するのに再適用できる好ましい方法は、例えば、ＥＰ−Ａ−１２０１２１２に記載されている。
【００６２】
非常に好ましいのは、本発明の物品（例えば、おむつ又はトレーニングパンツ）が、糞便を不動化するのに役立ち、トップシートの下、即ち、トップシートとバックシートとの間又はトップシートと吸収性コア（通常は存在する）との間に位置する追加のシートを含むことである。
【００６３】
この追加のシートは、少なくとも繊維ウェブ（シート）から作製されるのが好ましく、この繊維ウェブ（シート）は、繊維が接着している区域と、繊維が接着していない区域、いわゆる接着区域と未接着区域とを有する。繊維は１つの接着区域から未接着区域を通って別の接着区域へと延び、典型的には、それにより、繊維は１つの接着区域から次の接着区域までループを形成する。接着区域は、それらが未接着区域のための支持体構造を形成するようなものであるので、裏材支持層は必要ない。この追加のシートは、典型的には単独若しくは単一のシート又はウェブである。
【００６４】
好ましくは、同じ接着区域から、次の同じ接着区域まで伸びる繊維は、互いにほぼ平行である。好ましくは、接着区域は１つの平面にあり、例えば平面的な支持体構造を形成し、繊維は、接着区域の支持体構造により形成された平面から上方及び下方に、好ましくはループの形状で延びる。
【００６５】
接着区域は、未接着区域のための前記支持体構造が作られるのであれば、いかなる形状でもあり得る。例えば、接着区域は、点、方形、矩形、円形、三角形又は線の形状であり得る。接着区域の数も、それらが不連続点な線、方形、線又はストリップなどを共に形成するようなものであり得る。後者の場合、接着区域は、未接着区域のための支持体構造を提供するのに十分な接着が達成されることを保証するのに十分な程、共に密接でなければならない。
【００６６】
未接着区域も、例えば円形若しくは丸形、方形、矩形、三角形、菱形、又は六角形及び／若しくは楕円形であってもよい。
【００６７】
好ましくは、未接着区域内の（最大凸部の）表面積は、少なくとも２ｍｍ２、好ましくは少なくとも５ｍｍ２、又は更には少なくとも１０ｍｍ２、又は更には少なくとも２０ｍｍ２、又は更には少なくとも２５ｍｍ２、又は更には少なくとも３０ｍｍ２、及び典型的には最大２００ｍｍ２、又は更には最大でわずか１００ｍｍ２である。
【００６８】
接着区域は一定の幅寸法を有し、この寸法は、本明細書で使用する時、接着区域の支持体構造が形成する平面内での、接着区域の２つの対向する側部間の最も小さい距離である（即ち、故に、接着区域の厚さ寸法ではない）。典型的には、この幅寸法は、３ｍｍ未満、又は更には２ｍｍ未満、又は更には１ｍｍ未満、又は更には０．８ｍｍ未満、又は更には０．５ｍｍ未満である。
【００６９】
未接着区域と接着区域との総表面積間の総表面積の関係は、好ましくは２０：１、又は更には１５：１、又は更には１０：１、又は更には８：１、しかし好ましくは２：１を超える、又は更には３：１を超える。
【００７０】
好ましくは、接着区域は線の形状であり、好ましくは各接着区域（線）は、少なくとも１つの別の接着区域（線）と交差する。好ましくは、接着区域は、長手方向及び横断方向の両方に位置し、好ましくは、図４ａに見られるように、各方向において互いに平行である。
【００７１】
追加のシートはいかなる坪量を有してもよいが、好ましくは、これは約１０〜４５ｇ／ｍ２、又は更には２０〜４０ｇ／ｍ２、又は更には３０〜３５ｇ／ｍ２である。
【００７２】
非常に好ましい追加のシートは、キャリパーが約０．２５〜０．２９、好ましくは約０．２７ｍｍ、圧縮抵抗が約４０〜６０％、好ましくは約５５％、坪量が約２８〜３４ｇ／ｍ２、好ましくは約３２ｇ／ｍ２であり、好ましくは約２２ｍｍ２〜３０ｍｍ２、好ましくは２５ｍｍ２の未接着区域と、最大幅が０．７ｍｍ〜１．１ｍｍ、好ましくは０．９ｍｍの交差線の形状をなす接着区域とを有するウェブを含むか、それから成る。非常に好ましい追加のシートは、サンドラー（Sandler）からＶＰ３００１／１１−３２ｇｓｍという商品名で入手可能である。
【００７３】
本明細書で使用する試験方法：
（空気透過性）
空気透過性は、空気の標準的な容積が、一定の圧力及び温度における試験片を通して引き出される時間を測定することによって決定される。この試験は、本明細書中で好ましいもの、特に不織布材といったような相対的に高い気体透過性を有する材料に特に適している。
【００７４】
器具はテクステスト（Tex Test）ＦＸ３３００を使用する。試験方法はＡＳＴＭＤ７３７に従う。試験は、一般的に約２２±２℃及び約３５％±１５％の相対的湿度の実験環境で行われる。試験片は少なくとも２時間調湿されなくてはならない。試験圧は１２５パスカル、試験面積は３８ｃｍ２である。この試験では、器具が試料を横切る一定の差圧を作り、その差圧が空気を試料に引き込む。試料への空気流の速度は、フィート３／分／フィート２で測定され、ダルシーの法則により透過（ダルシー／ｍｍ）に変換される。  
Ｋ／ｄ（ダルシー／ｍｍ）＝（Ｖ＊μ）／（ｔ＊Ａ＊Δｐ）
式中、ｋは試験片の単位面積あたりの透過性であり、Ｖ／ｔはｃｍ３／秒での体積流量であり、μは空気の粘度（１．８６＊１０−５Ｐａ秒）であり、ｄはｍｍでの試験材料の厚さであり、Ａはｃｍ２での試験片の断面積であり、Δｐはパスカル又はＰａでの圧力差であり、１ダルシーは９．８６９＊１０−９ｃｍ２である。
【００７５】
各試料につき３回反復すべきであり、平均した（meant）結果を、本明細書の空気透過性として報告する。
【００７６】
（撥アルコール性（表面エネルギーについての示度））
撥アルコール性は、１９９６年に公開され、米国ノースカロライナ州（２７５１３）のインダ（INDA）から入手可能であるようなＩＮＤＡ標準試験方法ＩＳＴ８０．６（９５）により決定することができる。
【００７７】
この方法は、アルコール又はアルコール／水溶液の濡れ及び浸透に対する試料の抵抗性を測定するのに使用される。
【００７８】
布地の撥アルコール性値は、布地に浸透しない最も高い番号が付された試験溶液に対応する。故に、本明細書で使用する時、撥アルコール性が７であるトップシートは、７０％のアルコール（エタノール無水物）及び３０％の脱イオン水から成る試験溶液は試料に浸透しないが、８０％のアルコール及び２０％の水から成る溶液は浸透するようなものである。
【００７９】
本明細書で非常に好ましいのは、撥アルコール性が１０であるトップシートであり、１００％アルコール溶液も、いかなるアルコール／水溶液も試料に浸透しない。
【００８０】
（最大孔径、平均孔径及び孔径分布）
本明細書で使用する時、最大孔径及び平均孔径は、ＡＳＴＭ法Ｆ３１６−８０の使用により計算することができる。このＡＳＴＭ法において必要とされるコールターポロメーター（coulter porometer）として、ＰＭＩから入手可能なポロメーターを使用することができる。
【００８１】
（再湿潤値及び方法）
本発明の吸収性物品の第一トップシート又は第二トップシートの再湿潤値は、特定の圧力下でトップシートから乾燥したピックアップ紙まで移動されるＢＭ類似体４Ａの量を測定することにより決定することができ、これは以下のように行われる。
【００８２】
ＢＭ類似体４Ａは、以下のものを含む。  
フェクローン＃２（Feclone #2）＊          ３．８６％
フェクローン＃４（Feclone #4）＊          ３．８６％
ウルトラダウン（Ultra Dawn）＊＊          ０．６２％
蒸留水                                  ９１．６６％
＊米国ペンシルバニア州バレーフォージ（１９４８１）（Valley Forge,PA 19481,USA）にあるシリクローンスタジオ（SiliClone Studio）−ドレッタＬ．Ｅｒｂ（Doretta L.Erb）から入手可能
＊＊プロクターアンドギャンブル社（The Procter & Gamble Company）が米国で販売している洗剤
【００８３】
ＢＭ類似体４Ａは以下のように調製される。  
類似体を作製するのに必要な量よりも多い蒸留水を容器内で９０℃まで加熱する。適当な量の上述のフェクローン（Feclone）２及び４を秤量し、別の容器に移して十分にブレンドする。次いで、ウルトラドーン（Ultra Dawn）を混合する。次いで、水を他の成分と混合し、均質なブレンドにする。
【００８４】
次いで、このＢＭ類似体４Ａを１０ｇ＋／−０．２ｇ、ペトリ皿に入れる。ＢＭ類似体及びペトリ皿の縁部が被覆されるように、１片の（再湿潤値を測定すべき）トップシートをペトリ皿の上に置く。トップシート材料が他の表面よりも毛羽立った１つの表面を有する場合、このより毛羽立った表面はＢＭ類似体から離れた上方に位置する。
【００８５】
５プライの乾燥したピックアップ紙（１０ｃｍ＊１０ｃｍ；アールストローム（Ahlstrom）等級６３２又は同等値）を秤量し、次いでトップシート材料の上に載せる。
【００８６】
次いで、８ポンド（３．６ｋｇ）重量の力を１０ｃｍ＊１０ｃｍの表面積（即ち、０．５ｐｓｉ（３４４７Ｐａ）、１０ｃｍ＊１０ｃｍの表面積あたり３５４３ｇ）に３分間かける。
【００８７】
次いで、５プライのピックアップ紙を再び秤量し、ピックアップ紙の重量差を計算する。重量の増加分Ｘは、ピックアップ紙上に接着したＢＭ類似体又はピックアップ紙中に吸収されたＢＭ類似体の重量である。次いで、最初のＢＭ類似体１０グラムのパーセンテージＸを計算することにより、再湿潤パーセンテージを決定する。例えば、ピックアップ紙の重量が０．２グラム増加する場合、Ｘは０．２グラムであり、トップシートのパーセンテージ再湿潤又は再湿潤値は（０．２／１０）×１００％＝２％再湿潤である。
【００８８】
（キャリパー（厚さ））
この試験は、本発明の物品に使用するウェブ又はシートのキャリパーを測定するものである。
【００８９】
本明細書で述べるキャリパーは、例えば各々が１５ｃｍ２（１．５×１．５平方インチ）の３つのウェブ又はシートの試料を、例えばより大きなシートから押し抜いて採取することにより測定される。次いで、３つの別個の実験において、各試料の最大キャリパーを測定し、平均を得る。
【００９０】
各実験において、試料を１つの位置に固定し、次いで、特定圧力０．０９ｐｓｉ（６２０Ｐａ）を試料にかけ、デジタルはさみ尺でキャリパーを測定する。試料のキャリパー測定は、常にその試料の同じ場所にて行う。
【００９１】
（図の好ましい物品）
ここで、本発明の好ましいおむつが、図１及び図２を参照して説明される。
【００９２】
図１は、伸張状態のおむつ２０の平面図であり、おむつ２０の下層構造をより明確に示すために構造の一部分が切り取られ、おむつ２０の着用者に接触する部分が見る人に向いている。おむつ２０の１つの末端部分は、おむつ２０の第一腰部区域３６として構成されている。その反対側の末端部分は、おむつ２０の第二腰部区域３８として構成されている。おむつ２０の中間部分は、第１腰部区域３６と第２腰部区域３８との間に長手方向に延びる股部区域３７として構成されている。腰部区域３６と３８は、着用時に着用者の腰部を取り囲むおむつ２０の腰部部分をほぼ構成している。腰部区域３６と３８は、着用者の腰部の周囲で縮んで、改善された適合性及び収容性を提供し得る要素、又は典型的には腰部の周囲で縮むことができると共に、ランディング領域２９に締着されるタブ２７などの締着手段を使用することによって腰部の周囲に締着され得る要素を含む。股部区域３７は、おむつ２０を着用した時に、一般に、着用者の脚の間に位置するおむつ２０の部分である。
【００９３】
おむつ２０は、トップシート２４、液体不透過性バックシート２６、及びトップシート２４とバックシート２６との間に入れられた吸収性コア２８を含む。トップシートは空気透過性であり、細孔のみによる均一な孔径を有し、上述のような低表面エネルギーを有する。好ましいのは、上述のペガス（Pegas）又はサンドラー（Sandler）から入手可能であるような積層体であり、好ましくは、トップシート２４は上述のように遮蔽促進剤で処理される。
【００９４】
トップシート２４は、糞便滲出物を受けて、その滲出物の少なくとも一部分を着用者の皮膚から隔離するように構成されている、おむつ２０の長手方向軸線ｘに沿ったスリット開口部３０を含む。
【００９５】
トップシート２４は全体的に又は部分的に伸縮性であってもよい。図１では、トップシート２４は、Ｘ字形を有する伸縮性バンド（ゴムバンド）３１と３２との供給によって部分的に伸縮性である。
【００９６】
スリット開口部３０は、糞便滲出物が開口部を通過してトップシート２４及び吸収性コア２８及び／又は他の下層間に形成された間隙空間に移動するように、トップシート２４に位置し、この他の下層は、好ましくは上述のように糞便を捕捉し、好ましくは接着区域と未接着区域とに繊維を有する追加のシートであり、それにより接着区域は未接着区域のための平面的な支持体構造を形成し、これはスリット開口部３０を通過した糞便を捕捉するのに役立つ。一旦糞便が間隙空間に入ると、本発明のおむつ２０の特定のトップシート２４は、糞便（の大部分）が使用者又は介護人がおむつ２０を交換する時に見えないことを保証し、且つ、糞便の漏れ（例えばトップシートを通って戻る）が低減することを保証する。
【００９７】
トップシート２４のスリット開口部３０は、使用中に着用者の肛門と位置が揃うように位置する。好ましくは、トップシート２４のスリット開口部３０は、おむつのターゲット領域に位置する。ターゲット領域とは、着用者から糞便物質の攻撃を直接受け取るように構成され、ほぼおむつの股部部分に位置するおむつの部分である。特に、非制限的な一実施形態では、トップシートを完全に延ばした又は伸張した状態で測定する時、ターゲット領域はおむつの長手方向軸線ｘに沿って約５〜約３０ｃｍの長さ延び、その長さの約４分の１はおむつ２０の横方向軸線ｙから、第１又は前側腰部区域３６に長手方向に延び、残りの長さは第２又は後側腰部区域３８に長手方向に延びることができる。一般に、スリット開口部３０の約０％〜約４０％、好ましくは１０％〜３５％、又は更に２０％〜３０％が、おむつ２０の横方向中心線の前方に位置してもよい。
【００９８】
トップシート２４のスリット開口部３０は、ほぼ長手方向軸線ｘに沿ってターゲット領域に設けられ、対向して長手方向に延びる２つの側縁部４０、前縁部４１及び後縁部４２により画定される。前縁部４１は、一般的に、第一の前側区域３６に向かうおむつ２０の股部区域３７に、又は第一の腰部区域３６自体に位置する一方、後縁部４２は、第二の腰部区域３８の近くの股部区域３７に、又は第二の腰部区域３８自体に位置している。スリット開口部３０は、おむつの長手方向軸線ｘに平行な長手方向の長さと、おむつ２０の横方向軸線ｙに平行な横方向の幅とを含む。スリット開口部３０の長さは、上述の範囲内である。
【００９９】
おむつ２０は好ましくは、フックアンドループ型の締着装置などの、少なくとも１つの係合構成要素（又は雄締着構成要素のファスナー）２７と、少なくとも１つのランディング領域２９（雌締着構成要素）とを典型的に含む締着装置も含む。おむつ２０はまた、レッグカフ、前側及び後側耳パネル、ウエストキャップ機構、及びゴムなどを含む当技術分野で既知の他の機構を含んで、より良い適合性、収容性、及び美的特質を提供してもよい。このような追加的な機構は、当技術分野で既知であり、米国特許第３，８６０，００３号及び同第５，１５１，０９２号に記載されている。
【０１００】
伸縮性区域３１及び３２は、おむつ２０の開口部３０が肛門周辺を含む臀部の臀筋の溝に位置し、またその位置のままであることを確実にする。
【０１０１】
スリット開口部の縁部４０は、着用者（の皮膚）に接して保持され、伸縮性区域３１及び３２によって供給される弾性力のみによって、又は任意選択的、追加的に上述のような身体接着性組成物の使用によって、偏向することなく糞便をスリット開口部３０に侵入させ得る。いかなる場合においても、身体接着性組成物は、蒸気を通し（即ち、通気性であり）、皮膚に適合性があり、あるいは皮膚に優しいことが好ましい。伸縮性区域３１及び３２は、着用者の皮膚上の伸縮性区域３１及び３２の圧痕を低減すべく、ローション、又は好ましくはタルク若しくはワックスを含むことも好ましい場合がある。伸縮性区域３１、３２は、スリット開口部３０の長手方向縁部４０に沿って予め伸張した伸縮性バンドを接着することにより形成され得る。
【０１０２】
物品が、本発明の好ましいおむつ２０の斜視図を示す図２に見られるような六角形の形状を有するスリット開口部を有することが好ましい場合がある。スリット開口部３０は、矩形の部分９０と、そのそれぞれの側の２つの三角形の部分９１とを含む。次に、スリット開口部３０の長さは、三角形９１の頂点にある、開口部３０の縁部の結合点から測定され（即ち、六角形のスリット開口部３０の最長寸法／長手方向軸線の長さ）、本明細書で詳述されるような好ましい値を有する。その時、六角形のスリット開口部３０の幅が、スリット開口部３０の長手方向軸線に直交する、このスリット３０の横断方向軸線の幅である。
【０１０３】
おむつ２０は、典型的には、おむつ２０の両方の長手方向縁部上に、バックシート２６に取り付けられるレッグカフ８０を有してもよい。好ましくは、レッグカフ８０の長手方向縁部、トップシート２４の長手方向縁部、及びバックシート２６の長手方向縁部は、細い長手方向取り付け縁部の形状で共に付着される。
【図面の簡単な説明】
【０１０４】
【図１】本発明の好ましいおむつ及びその好ましいトップシート２４の平面図。
【図２】本発明の好ましいおむつ及びその好ましいトップシート２４の斜視図。
【図１】
2006504497.tif 000003
【図２】
2006504497.tif 000004
【国際調査報告】
2006504497.tif 000005
2006504497.tif 000006
2006504497.tif 000007
2006504497.tif 000008
2006504497.tif 000009
2006504497.tif 000010
2006504497.tif 000011